(57)【要約】【課題】載置される眼鏡レンズの大きさが異なる場合でもレンズを載せるための載置台を交換せずに、眼鏡レンズを載置して吸着部材を取り付けることができる軸出器を提供すること。【解決手段】眼鏡レンズ（レンズＬ）を３つ以上の保持部材（載置ピン１０，１１，１２）上に載置して、吸着部材（吸着カップ１５）を前記眼鏡レンズ（レンズＬ））に装着するようになっている。しかも、上記３つ以上の保持部材（載置ピン１０，１１，１２）を少なくとも２方向（Ｘ方向、Ｙ方向）で異なる間隔に配置している。【選択図】  図２
2005066735.tif 000002
【特許請求の範囲】
【請求項１】
眼鏡レンズを３つ以上の保持部材上に載置して、吸着部材を前記眼鏡レンズに装着するための軸出器において、
上記３つ以上の保持部材を少なくとも２方向で異なる間隔に配置したことを特徴とする軸出器。
【請求項２】
眼鏡レンズを複数の保持部材に載置して、吸着部材を眼鏡レンズに装着するための軸出器において、
平行な第１，第２仮想線及び前記第１，第２仮想線に対して交差し且つ間隔が第１，第２仮想線の間隔と異なる平行な第３，第４仮想線を想定したとき、前記複数の保持部材は前記第１，第２仮想線と第３，第４仮想線との交点上にそれぞれ配置されていることを特徴とする軸出器。
【請求項３】
眼鏡レンズを３つの保持部材に載置して、吸着部材を眼鏡レンズに装着するための軸出器において、
平行な第１，第２仮想線及び前記第１，第２仮想線に対して交差し且つ間隔が第１，第２仮想線の間隔と異なる平行な第３，第４仮想線を想定したとき、前記３つの保持部材のうちの２つは前記第１仮想線と第３，第４仮想線との交点上にそれぞれ配置され、前記３つの保持部材のうち残りの１つは前記第２仮想線と第３，第４仮想線との交点の中央に配置したことを特徴とする軸出器。
【請求項４】
上記交点の中央に上記保持部材を配置した場合、該保持部材の高さを他の２本とは異なる高さにしたことを特徴とする請求項３に記載の軸出器。
【発明の詳細な説明】
【技術分野】
【０００１】
この発明は、レンズ研削加工装置で研削加工される未加工の眼鏡レンズに吸着部材（加工用レンズブロック、吸着盤、吸着カップ）を装着するための軸出器に関する。
【背景技術】
【０００２】
従来の軸出器としては、被軸出レンズ（未加工の眼鏡レンズ）が載置される３本の保持部材（ピン）を設けたレンズ載置台と、前記被軸出レンズが枠入れされる眼鏡フレームのレンズ枠形状と位置出し指標とを表示させる電子画像表示手段と、前記被軸出レンズと前記電子画像表示手段の表示画像を光学的に合成し観察するための光学手段と、前記位置出し指標に軸出しされた前記被軸出レンズに吸着カップを吸着する吸着手段を設けたものが知られている（例えば、特許文献１〜５参照）。尚、３本の保持部材（ピン）は、所定の円周上に等間隔に配置されている。このように３本の保持部材が採用される理由は、眼鏡レンズの乱視面がレンズ裏面にあるため、３点での支持とすることで安定性を得ることができるからであった。
【０００３】
この軸出器では、３本の保持部材上に未加工の眼鏡レンズを載せることにより、電子画像表示手段に映し出されたレンズ枠形状及び視標と保持部材上の眼鏡レンズを合成した状態で光学手段により観察できる。
【０００４】
従って従来は、この観察状態において被軸出レンズである眼鏡レンズのレンズ位置をレンズ枠形状に対して微調整することにより、レンズ枠形状に対するレイアウト調整をし、正しくレイアウトできた状態で吸着部材を眼鏡レンズに取り付け固定するようにしていた。
【０００５】
この吸着部材を眼鏡レンズに取り付け固定する方法では、眼鏡レンズを安定的に載置するには３本の保持部材を配置する所定の円周の半径をできるだけ大きくすることが良いことは明かである。
【特許文献１】特開平０３−１１３４１５号公報
【特許文献２】特開平０４−２６４４２３号公報
【特許文献３】特開平１１−２１６６５０号公報
【特許文献４】特開２００１−００１２４４号公報
【特許文献５】特開２００２−２９２５４７号公報
【発明の開示】
【発明が解決しようとする課題】
【０００６】
しかし、眼鏡レンズの加工は未加工の眼鏡レンズの円形の加工だけではなく、既に使用中の眼鏡レンズを他の眼鏡フレームに入れ替える枠替え加工も含まれる。また最近流行するカニ目状や装用者の顔にへばりつくようなサングラスの玉型形状の加工も含まれる。
【０００７】
このような場合には、等間隔に配置された３本の保持部材では配置する円周の半径を最も小さな可能性のあるサイズまで縮める必要が生じる。
【０００８】
このため、一般的には通常の目的のサイズでの眼鏡レンズ載置台とは別に小さい径のレンズを載せるための載置台を取り付け可能とし、交換して使用する方法が採られていたが、利便性に欠ける。
【０００９】
そこで、この発明は、載置される眼鏡レンズの大きさが異なる場合でもレンズを載せるための載置台を交換せずに、眼鏡レンズを載置して吸着部材を取り付けることができる軸出器を提供することを目的とするものである。
【課題を解決するための手段】
【００１０】
本発明では、上記課題を解決するため、眼鏡レンズを複数の保持部材に載置して、吸着部材を眼鏡レンズに装着するための軸出器において、上記複数の保持部材を少なくとも２方向で異なる間隔に配置したことを特徴とする。
【００１１】
また、眼鏡レンズを複数の保持部材に載置して、吸着部材を眼鏡レンズに装着するための軸出器において、上記複数の保持部材を少なくとも２方向で異なる間隔をもった交点または交点間の中点に配置したことを特徴とする。
【発明の効果】
【００１２】
この構成によれば、載置される眼鏡レンズの大きさが異なる場合でもレンズを載せるための載置台を交換せずに、未加工レンズから種々のサイズの眼鏡レンズまで載置して吸着部材を取り付けることができる。
【００１３】
本発明により実施される眼鏡レンズ載置台を利用することで保持部材の位置を適度に広い間隔で維持でき、かつ、近年多用されている外形の小さいタイプの眼鏡フレームの形状に一旦製作された眼鏡レンズの再加工時の吸着作業にもレンズ載置台を変更することなく、未加工あるいは既加工済みの眼鏡レンズのレイアウト調整作業から吸着作業まで作業工程をスムーズに実施することができる。
【発明を実施するための最良の形態】
【００１４】
以下、この発明の実施の形態を図面に基づいて説明する。
【００１５】
以下、本発明の一実施例を図面に基づいて説明する。
Ａ．装置構成
［光学−機械構成］
図１に示すように、本発明の軸出器の筐体１の上面２は緩やかな斜面として形成されており、この上面２には第１表示器３、観察窓４、および入力／制御用キーボード５が配置されている。
【００１６】
観察窓４の下方にはハーフミラー６が傾設されており、その反射面への入射光路側には第２表示器７が配置されている。第１表示器３および第２表示器７はともに、例えば、液晶表示器のような電子表示器で構成されている。
【００１７】
ハーフミラー６の下方で筐体１の脚部１ｃの上面である台座１ａにはレンズ載置台８が設けられている。このレンズ載置台８は図２および図３に示すように下面９ａを拡散面とした拡散板９とこれに植接された３本のレンズ支持部材（軸上の保持部材）としての載置ピン１０，１１，１２とで構成されている。載置ピン１０は硬い透明な合成樹脂製の脚部１０ａとその上に接着された柔らかい透明な合成樹脂製の半球形の頭部１０ｂとで形成されている。他の２本の載置ピン１１、１２も載置ピン１０と同様に形成されている。脚部１０ａと頭部１０ｂを別々に形成する代わりに載置ピンの頭部のみに軟化剤を添加し柔らかくしてもよい。
【００１８】
尚、載置ピン１０，１１の中心を通る線を第１仮想線Ｌｘ１とし、載置ピン１２の中心を通り且つ第１仮想線Ｌｘ１と平行な線を第２仮想線Ｌｘ２とし、載置ピン１０の中心を通り且つ第１，第２仮想線Ｌｘ１，Ｌｘ２と直交（交差）する線を第３仮想線Ｌｙ１とし、載置ピン１１の中心を通り且つ第１仮想線Ｌｘ１，Ｌｘ２と直交（交差）する線を第３仮想線Ｌｙ２とする。尚、第３，第４仮想線Ｌｙ１，Ｌｙ２は平行に設けられている。
【００１９】
また、第１，第２仮想線Ｌｘ１，Ｌｘ２は左右方向（Ｘ方向）に延び、第３，第４仮想線Ｌｙ１，Ｌｙ２は前後方向（Ｙ方向）に延びている。そして、第１，第２仮想線Ｌｘ１，Ｌｘ２間の間隔Ｘａは第３，第４仮想線Ｌｙ１，Ｌｙ２間の間隔Ｙａと異なる間隔に設定されている。
【００２０】
即ち、間隔Ｘａは、枠入れされた眼鏡レンズを再加工するために吸着盤を取り付ける場合、又はカニ目レンズを加工するために吸着盤を取り付ける場合に、或いは小径のレンズに吸着盤を取り付ける場合、これらの眼鏡レンズを載置ピン１０，１１，１２で支持可能な間隔に設定されている。また、間隔Ｙａは、枠入れされた眼鏡レンズやカニ目レンズよりも大きい通常の未加工眼鏡レンズを載置ピン１０，１１，１２で支持可能な間隔に設定されている。
【００２１】
この様な条件を達成するために具体的には、例えば間隔Ｘａを２０ｍｍとし、間隔Ｙａを３０ｍｍとすることができる。しかも、載置ピン１０，１１の高さは１１ｍｍ、載置ピン１２の高さは１２ｍｍとする。
【００２２】
この場合、間隔Ｘａが間隔Ｙａより小さく設定され、実質的には間隔Ｙａが間隔Ｘａの１．５倍に設定されることになる。尚、間隔Ｘａ及び間隔Ｙａの値及び載置ピン１０，１１，１２の高さは上述した数値に限定されるものではない。
【００２３】
また、第１，第２仮想線Ｌｘ１と第３，第４仮想線Ｌｙ１，Ｌｙ２との交点をそれぞれＩＳ１，ＩＳ２とし、第２仮想線Ｌｘ２と第３，第４仮想線Ｌｙ１，Ｌｙ２との交点をそれぞれＩＳ３，ＩＳ４とすると、載置ピン１０，１１の中心は交点ＩＳ１，ＩＳ２上に配置されている。しかも、載置ピン１２の中心は、第２仮想線Ｌｘ２上であって交点ＩＳ３，ＩＳ４間の中央（中間）上に配置されている。
【００２４】
ここで、載置ピン１２は、レンズ（眼鏡レンズ）Ｌの裏面カーブによる高さの差分（例えば、裏面基準カーブを６と想定した場合、約１．０ｍｍ）だけ載置ピン１０，１１より高くされている。
【００２５】
従って、レンズ（眼鏡レンズ）Ｌは、サイズの大小にかかわらず３本の載置ピン１０、１１、１２上で三点支持される。しかも、レンズＬが後面乱視レンズであっても載置ピンで確実に支持することができ、かつレンズを傷付けることもない。
【００２６】
拡散板９の下方に配置された照明ランプ１３からの光束は拡散板９の拡散面９ａで拡散され載置ピン上に支持されたレンズＬを透過照明する。この透過照明によりレンズＬに印点された印点マークＭ1，Ｍ2，Ｍ3の観察が容易となる。載置ピン１０，１１，１２が透明であるため印点マークＭ1，Ｍ2，Ｍ3が載置ピン上に位置することがあっても載置ピン１０，１１，１２を透過した照明ランプ１３からの光束で観察できる利点がある。
【００２７】
さらに、照明ランプ１３は、そのフィラメント１３ａは３本の載置ピン１０，１１，１２を含む円Ｃの中心Ｏから載置ピン１２の方向にずれるように配置されている。この配置により、照明ランプ１３の上方が最も明るくなるため、レンズＬが図２に例示するように二重焦点レンズである場合その小玉Ｓが最も明るく透過照明され、小玉Ｓの境界線（輪郭）を明瞭にすることが出来る。上述のように照明ランプ１３をずらして配置する代わりに、拡散板９の拡散面９ａの小玉Ｓに対応する領域の拡散率を小さくしてもよい。
【００２８】
尚、３本の載置ピン１０，１１，１２の頂点が作る平面Ｈとハーフミラー６との間の距離は、第２表示器７とハーフミラー６との間の距離と等しくなっている。これにより、第２表示器７の表示画像と載置ピンで支持されたレンズＬとはハーフミラー６で光学的に合成され観察窓４を通して操作者に観察される。
【００２９】
入力／制御用キーボード５の下方の筐体１内には第２表示器７を照明するためのランプＬＰが内蔵されている。
【００３０】
台座１ａには公知の構成からなるレンズ吸着装置１４が設置されている。このレンズ吸着装置１４は支柱１４ａに沿って上下動可能でかつ回動可能なシリンダシャフト１４ｂを有し、このシャフト１４ｂは支柱１４ａに嵌挿された図示なきバネで常時上方に弾発されている。シャフト１４ｂは支持アーム１４ｃと操作アーム１４ｄを有し、支持アーム１４ｃの下端には吸着カップ１５を保持する保持部材１４ｅが設けられている。支柱１４ａの周面には規制ピン１４ｆが植接され、シャフト１４ｂにはそれ自身の回転により規制ピン１４ｆに当接する切欠面１４ｇが形成されている。切欠面１４ｇが規制ピン１４ｆに当接するまでシャフト１４ｂを回転すると吸着カップ１５の中心は基準中心線Ｏと一致する。この位置で操作アーム１４ｄを押し下げることにより、吸着カップ１５をレンズＬに吸着する。レンズ吸着装置１４の非使用時は操作アーム１４ｄは図示するように筐体１に形成されたスリット１６内に挿入される。
【００３１】
筐体１の脚部１ｃにはメインスイッチ１７が配置されている。
［回路構成］
図４にブロック図で示すように、第１表示器３および第２表示器７はインターフェース回路３１を介して演算・制御回路３０に接続されている。演算・制御回路３０は、例えば、マイクロプロセッサで構成される。
【００３２】
演算・制御回路３０にはレンズＬが枠入れされる眼鏡フレームのレンズ枠の形状を入力するためのフレームデータ入力装置４０が接続可能に構成されている。フレームデータ入力装置４０の一例としては本願出願人が先に出願した特願昭６０−２８７４９１号がある。この先願の装置は眼鏡フレームのレンズ枠またはそれから倣い加工された型板の形状を極座標データ（ρi，θi）（ｉ＝０，１，２，…ｎ）として求める装置である。フレームデータ入力装置４０の他の例としては、フロッピー（登録商標）ディスクやＩＣカードのような記憶媒体からレンズ枠または型板の形状データを読み取る装置や、眼鏡フレームのメーカーや卸店あるいはストックセンターとのオンラインデータ通信によるレンズ枠または型板の形状データの受信機であってもよい。
【００３３】
演算・制御回路３０には、フレームデータメモり３２，レンズデータメモり３３，プログラムメモリ３４が接続されている。このフレームデータメモリ３２は、フレームデータ入力装置４０から入力されたレンズ枠または型板の形状データ（ρi，θi）を記憶する。レンズデータメモリ３３は、本発明の軸出器で軸出しされるレンズＬが二重焦点レンズや累進多焦点レンズの場合を想定して、予め多数のレンズの特定情報を記憶しておくために設けられている。プログラムメモリ３４には、演算・制御回路３０の各種シーケンスプログラムを記憶させてある。
【００３４】
また、演算・制御回路３０には、メインスイッチ１７と入力／制御用キーボード５が接続されている。さらに演算・制御回路３０は軸出しされたレンズＬを研削加工する玉摺機５０と接続可能である。玉摺機５０は、例えば、本願出願人が先に出願した特願昭６０−１１５０７９号がある。
【００３５】
さらに演算・制御回路３０には、照明ランプ１３，ＬＰを点灯するためのアクチュエータ３５が接続されている。
【００３６】
入力／制御用キーボード５はその一例を図５に示すように、モードキー５１、レンズキー５２、ディスプレイキー５３、Ｒ／Ｌキー５４、照明キー５５、加工干渉キー５６、偏心加工キー５７、カーソルキー５８、転送キー５９、矢印キー６０およびアルファベットと数字が入力できる一般的なアルファ・ニューメリカルキーボード６１とから構成されている。これらキーの具体的な使用例は後述する本発明の軸出器の動作説明で明らかにする。
【００３７】
また第１表示器３および第２表示器７に表示される各種データや画像データについても以下の動作説明から明らかになる。
Ｂ．動作
図６Ａ，図６Ｂおよび図７のフローチャートに沿って本発明の軸出器の動作を説明する。
ステップ１０１；
メインスイッチ１７をＯＮする。
ステップ１０２（モード設定）；
操作者はレンズＬの軸出し作業に、そのレンズＬが枠入れされる眼鏡フレームのレンズ枠またはそれから倣い加工された型板の形状データ（ρi，θi）を利用する『フレーム』か、あるいは実際の型板を利用する『パターン』かを選択する。この場合、操作者がモードキー５１を押すごとに、図８、図９および図２５に示すように“ｍｏｄｅ”表示部２０１ａ，２０１ｂが『フレーム』と『パターン』に切替わる。
【００３８】
従って、操作者は、“ｍｏｄｅ”表示を所望のモードに切替えることにより、『フレーム』と『パターン』のいずれかを選択設定する。
【００３９】
『フレーム』モードが選択された場合は次ステップ１０３へ移行し、『パターン』モードが選択された場合は後述のステップａ−１ないしａ−１５を有するサブステップａ−ａ´に移行する。
【００４０】
なお図８は第１表示器３の表示画像を例示し、以下第１表示器３の画像要素には符号の後に“ａ”字を添えてその旨をしめす。図９は図８の例示画像に対応した第２表示器７の表示画像を例示し、以下第２表示器７の画像要素には符号の後に“ｂ”字を添えてその旨を示す。第２表示器７の表示画像はハーフミラー６の反射により画像が上下反転されて観察窓４を通して操作者に観察されるので、第２表示器７上の表示画像は実際には上下が反転された画像が表示されるが、図９の例示画像は操作者の観察画像と理解されたい。
１）『フレーム』モード：
ステップ１０３（フレームデータ入力）；
操作者はフレームデータ入力装置４０を操作して、レンズＬが枠入れされる眼鏡フレームの右側レンズ枠またはこれから倣い加工された型板の形状データＲ（ρi，θi）を演算・制御回路３０を介して、フレームデータメモリ３２に記憶させる。
【００４１】
同様にレンズＬが枠入れされる眼鏡フレームの左側レンズ枠またはこれから倣い加工された型板の形状データＬ（ρi，θi）を演算・制御回路３０を介して、フレームデータメモリ３２に記憶させる。
ステップ１０４（両レンズ枠画像表示）；
演算・制御回路３０は図１０に示すように、フレームデータメモリ３２に記憶されているレンズ枠の極座標形状データＲ（ρi，θi），Ｌ（ρi，θi）をｘ−ｙ直交座標形状データＲＦi（ｘi，ｙi），ＬＦi（ｘi，ｙi）（ｉ＝０，１，２，…ｎ）に座標変換し（図１０は右側レンズ枠の場合を示す）、これをフレームデータメモリ３２に記憶させる。次に、図１２に示すように、左側形状データＬＦi（ｘi，ｙi）はそのまま利用し，右側形状データＲＦi（ｘi，ｙi）はｙ軸を対称軸として左右反転して両方のレンズ枠画像２０２ａr、２０２ａlをレンズ枠の幾何学中心ＯGを示す十字線２０３ａを合致させて第１表示器３に合成表示する。この合成画像から操作者は左右のレンズ枠の変形度合いを知ることができる。
ステップ１０５（左眼レンズ設定）；
操作者はＲ／Ｌキー５４を操作して、図８および図９に示すように、左右眼表示部２０７ａ，２０７ｂに『ＬＥＦＴ』と表示されるようにする。
【００４２】
演算・制御回路３０はＲ／Ｌキー５４による左側レンズ設定の指令を受けて、フレームデータメモリ３２から左眼レンズ枠形状データＬＦi（ｘi，ｙi）を読み出し、図８および図９に示すように、レンズ枠の画像２０２ａを第１表示器３に、画像２０２ｂを第２表示器７に各々等倍で表示する。また第１表示器３はレンズ枠の幾何学中心ＯGを示す十字線２０３ａをも画像表示する。
ステップ１０６（レンズ枠長演算・表示）；
演算・制御回路３０は、図１１に示すように基準直交座標系oｘ−oｙに基づく形状データoＦi（oｘi，oｙi）からｘ軸方向の最大値oｘmax、最小値oｘmin、oｙ軸方向の最大値oｙmax、最小値oｙminを各々求め、従来の『ボクシングシステム』の横径Ａ、縦径Ｂを
【００４３】
【数１】
2005066735.tif 000003
として求め、図８および図９に示すように、模式的レンズ枠画像２０４ａ，２０４ｂと横径データＡ、縦径データＢをレンズ枠長表示部２０５ａ，２０５ｂに数値データとしてそれぞれ第１表示器３，第２表示器７に表示する。
【００４４】
さらに、演算・制御回路３０は、図１１に示すように、基準直交座標系oｘ−oｙに対しθi＝ｉ×Δθ（ここでΔθは単位回転角度，ｉ＝１，２，…ｍ）回転された第ｉ直交座標系iｘ−iｙにおけるiｘ軸方向の最大値iｘmax、最小値iｘmin、iｙ軸方向の最大値iｙmax、最小値iｙminを各々求め、次に
【００４５】
【数２】
2005066735.tif 000004
を計算する。
【００４６】
次に、この求められたＸi，Ｙiから最大のものを求め、これをレンズ枠最大直径Ｃとし、またその角度Θを、ＣがＸの場合は  Θ＝θiとして、またＣがＹの場合は  Θ＝θi＋９０°として求め、これらをレンズ枠長表示部２０５ａ，２０５ｂに数値データとしてそれぞれ第１表示器３，第２表示器７に表示する。
【００４７】
なお、レンズ枠左右表示部２０６ａ，２０６ｂの『Ｒ』表示はレンズ枠の形状データが眼鏡フレームの右側のレンズ枠のものであることを、『Ｌ』表示はレンズ枠の形状データが眼鏡フレームの左側のレンズ枠のものであることを表示している。
ステップ１０７（レンズ設定）；
操作者は、軸出しされるレンズＬが単焦点レンズか、二重焦点レンズか、あるいは累進多焦点レンズかに応じて、レンズキー５２を操作し、図８、図９、図１９、図２０、図２２および図２３に示すようにレンズ表示部２０８ａ，２０８ｂに、レンズＬが単焦点レンズの場合は『シングル  ビジョン』と、二重焦点レンズの場合は『バイフォーカル』と、累進多焦点レンズの場合は『ルイシン』と各々表示させてレンズ設定をする。
【００４８】
以下、軸出しされるレンズＬが単焦点レンズの場合を例として、これ以後のステップをまず説明し、その後二重焦点レンズ、累進多焦点レンズの場合について、単焦点レンズの場合と相違するステップのみを説明する。
ステップ１０８（処方データ入力）；
操作者は矢印キー６０の下キー６０ｂと、アルファ・ニューメリカルキーボード６１を操作して処方データを順次入力する。最初、処方データ表示部２０９ａ，２０９ｂの『ＦＰＤ』表示が白抜き文字（図では斜線を重ねて表示）で表示されおり、キーボード６１でフレームＰＤのデータを入力する。入力データは『ＦＰＤ』表示欄に数値表示される。
【００４９】
次に、下キー６０ｂを押して、『ＰＤ』表示を白抜き文字表示にし、キーボード６１で眼鏡装用者のＰＤデータを入力し、これを『ＰＤ』表示欄に数値表示させる。
【００５０】
以下同様に、装用者の右眼のハーフＰＤを『Ｒ』項の『ＰＤ』表示欄に、レンズＬの光学中心ＯLの上寄せ量をレンズ枠の最下点からの高さ量として『ＨＩ』表示欄に、レンズＬの円柱軸角度を『ＡＸ』表示欄に表示させる。装用者の左眼のハーフＰＤを表示させる『Ｌ』項の『ＰＤ』表示欄には、装用者の『ＰＤ』と右眼のハーフＰＤ値とから演算された値が自動的に表示される。また左眼の『ＨＩ』表示欄および『ＡＸ』表示欄には右眼のそれと同値が表示される。これらが左右眼で異なる場合のみ、右眼データ同様各々入力し、数値表示させる。なお、レンズＬの光学中心ＯLの上寄せ量をレンズ枠の最下点からの高さ量として入力させる場合、これを操作者に指示するためにはｄｉｓｐｌａｙ表示部２１０ａ，２１０ｂに『ＨＩＧＨＴ』と表示される。操作者が上寄せ量をレンズ枠の幾何学中心からのズレ量で入力したいときは、ディスプレイキー５３を押して、図１３および図１４に例示するようにｄｉｓｐｌａｙ表示部２１０ａ，２１０ｂに『ＵＰ／ＣＥＮＴＥＲ』と表示されるように表示を切換えた後、『ＵＰ』表示欄を白抜き文字にし、上寄せ量を入力する。
【００５１】
演算・制御回路３０は、ステップ１０７で設定されたレンズに対応させて本ステップで入力さるハーフＰＤ値に基いて、眼鏡フレームのブリッジ中央を示すフレーム中心表示２１３ａを第１表示器３に画像表示する。
ステップ１０９（印点合致指標表示）；
演算・制御回路３０は、図８および図９に示すように、矩形状の三つの指標から構成された印点合致指標２１１ａ，２１１ｂを画像表示させる。この場合、三つの印点合致指標２１１ａ又は三つの印点合致指標２１１ｂのうちの中央のものが２１２ａ，２１２ｂで示すように基準中心線Ｏに合致し、かつ印点合致指標２１１ａ，２１１ｂがステップ１０８で入力されたレンズＬの円柱軸角度（ＡＸ表示値）の方向と一致するように画像表示させる。この印点合致指標２１１ａ，２１１ｂの間隔は予め演算・制御回路３０内のメモリに記憶されている。
【００５２】
図１５の（ａ）ないし図１５の（ｄ）は印点合致指標の一つの詳細な表示例を示すもので、指標は図示のように４種類のものが利用される。表示器３，７は上述のように液晶表示器で構成され、その画素ＰはＰｈ×Ｐｖの大きさを有する。
【００５３】
図１５の（ａ）の形状の指標の場合、操作者は、レンズＬ上の印点マークＭをこの印点合致指標に位置合わせするとき、画素Ｐ11，Ｐ12の境界と画素Ｐ15，Ｐ16の境界を結ぶ線と画素Ｐ13，Ｐ14の境界と画素Ｐ17，Ｐ18の境界を結ぶ線との交点に印点マークＭの中心が合致するように位置合わせする。
【００５４】
また、図１５の（ｂ）の形状の指標の場合は、画素Ｐ21，Ｐ22の境界と画素Ｐ24，Ｐ25の境界を結ぶ線と画素Ｐ23の中央と画素Ｐ26の中央を結ぶ線との交点に印点マークＭの中心が合致するように位置合わせする。
【００５５】
同様に、図１５の（ｃ）の形状の指標の場合は、画素Ｐ32，Ｐ33の境界と画素Ｐ35，Ｐ36の境界を結ぶ線と画素Ｐ31の中央と画素Ｐ34の中央を結ぶ線との交点に印点マークＭの中心が合致するように位置合わせする。
【００５６】
図１５の（ｄ）の形状の指標の場合は、画素Ｐ41の中央と画素Ｐ43の中央を結ぶ線と画素Ｐ42の中央と画素Ｐ44の中央を結ぶ線との交点に印点マークＭの中心が合致するように位置合わせする。
【００５７】
図１５の（ａ）と（ｂ）を比較すると、画素Ｐ11，Ｐ12の行と画素Ｐ21，Ｐ22の行が移動しないにもかかわらず印点マークＭはＸ方向にＰｈ／２ずれて位置合わせできる。
【００５８】
また、図１５（ｂ）と（ｃ）を比較すると、画素Ｐ23の列と画素Ｐ32，Ｐ33の列とが移動しないにもかかわらず印点マークＭはＹ方向にＰｖ／２ずれて位置合わせできる。
【００５９】
さらに、図１５（ａ）、図１５の（ｃ）と図１５の（ｄ）を比較すると、画素Ｐ17，Ｐ18の列と画素Ｐ44の列が移動しないにもかかわらず印点マークＭはＹ方向にＰｖ／２ずれて位置合わせでき、画素Ｐ31の行と画素Ｐ41の行が移動しないにもかかわらず印点マークＭはＸ方向にＰｈ／２ずれて位置合わせできる。
【００６０】
このように４種類の印点合致指標を使うことにより、印点合致指標と印点マークの位置合せ精度を倍増できる。
【００６１】
なお、印点合致指標の間隔は入力／制御用キーボード５のアルファ・ニューメリカルキーボード６１を操作して操作者が所有のレンズメーターの印点針の間隔を予め入力し演算・制御回路３０内の図示なきメモリに記憶させることができる。
ステップ１１０（レンズ枠画像移動）；
演算・制御回路３０は、上記ステップ１０８で入力されたフレームＰＤ（ＦＰＤ）値と眼鏡装用者のＰＤ値および上寄せ量ＨＩに基いて、基準中心線Ｏとレンズ枠の幾何学中心ＯGのズレ量（ｄｘ，ｄｙ）を計算し、レンズ枠形状データＦi（oｘi，oｙi）と計算されたズレ量（ｄｘ，ｄｙ）とから、新たなレンズ枠形状データＦＴi（ｘi＋ｄｘ，ｙi＋ｄｙ）（ｉ＝１，２，…ｎ）を求め、それに基いて図８および図９に例示するように、第１表示器３と第２表示器７に、この新たなレンズ枠画像２０２ａ，２０２ｂを画像表示する。新たなレンズ枠画像２０２ａ，２０２ｂは当然のことながらレンズＬの光学中心ＯＬからズレ量（ｄｘ，ｄｙ）分移動している。
【００６２】
なお第１表示器３には十字線２０３ａが画像表示されレンズ枠画像２０２ａの移動に伴い移動するが、第２表示器７には十字線は表示されない。
ステップ１１１（必要最小レンズ径演算）；
演算・制御回路３０は、前ステップ１１０で求められた新たなレンズ枠形状データＦＴi（ｘi＋ｄｘ，ｙi＋ｄｙ）の各座標と基準中心線Ｏとの距離Ｄ
【００６３】
【数３】
2005066735.tif 000005
を計算し、その中の最大の距離Ｄmaxを必要最小レンズ半径Ｄとして求める。
ステップ１１２（必要最小レンズ径の画像表示）；
演算・制御回路３０は、ステップ１１１で求めた必要最小レンズ半径Ｄのレンズ画像２１４ａを、図８に例示するように、第１表示器３に画像表示させる。
【００６４】
また、演算・制御回路３０は、必要最小レンズ半径Ｄの二倍すなわち直径を第１表示器３と第２表示器７のレンズ径表示部２１５ａ，２１５ｂに数値表示させる。
【００６５】
操作者は、レンズＬの屈折力が小さく少々のレイアウト変更をしても視力に影響ないと判断できるときは、表示された必要最小レンズ画像からレンズのレイアウトを変更し、更に小さな直径を有する生地レンズが利用できないか否かを試すこともできる。
【００６６】
この場合、操作者が必要最小レンズ画像とレンズ枠画像からレンズの移動方向を判断して、入力／制御キーボード５を操作し、処方データの装用者眼ＰＤ値と上寄せ量ＨＩを変更することにより、演算・制御回路３０は変更後の処方データに基づいて新たな必要最小レンズ半径Ｄを演算しそのレンズ画像を表示する。
ステップ１１３（偏心加工）；
操作者が偏心レンズを利用したい場合は入力／制御キーボード５の偏心加工キー５７を操作してその旨を演算・制御回路３０に指令する。
【００６７】
操作者が偏心レンズを利用しない場合はステップ１１６へ移行する。
ステップ１１４（偏心量・必要最小レンズ径演算）；
演算・制御回路３０は、ステップ１１０で求められた新たなレンズ枠形状データＦＴi（ｘi＋ｄｘ，ｙi＋ｄｙ）を極座標形状データ（ρi´，θi´）に座標変換する。
【００６８】
次に、図１６に模式的に図示するように、このレンズ枠形状データ（ρi´，θi´）の動径ρi´が、動径角度θｉ´の単調増加に伴って、増加から減少に転じる変曲点Ｅ1，Ｅ2，Ｅ3，Ｅ4を求め、変曲点Ｅ1とその前後の形状データＦ1，Ｆ2の三点を通る円ｒ1、変曲点Ｅ2とその前後の形状データＦ3，Ｆ4の三点を通る円ｒ2、変曲点Ｅ3とその前後の形状データＦ5，Ｆ6の三点を通る円ｒ3、および変曲点Ｅ4とその前後の形状データＦ7，Ｆ8の三点を通る円ｒ4を各々求める。
【００６９】
次にこの円ｒ1、ｒ2、ｒ3、ｒ4を二つづつ組合わせ、それに外接する外接円を各々の組合わせ毎に求め、これら外接円の全てについてその円外にレンズ枠形状データ（ρi´，θi´）が食出すか否かを検定する。図１６のように、円ｒ1と円ｒ3の外接円ＣＬ´にレンズ枠形状データの食出しがあった場合は円ｒ1、ｒ2、ｒ3、ｒ4を三つづつ組合わせ、それに外接する外接円を各々の組合わせ毎に求め、これら外接円の内最小の半径Ｄ´を有する外接円ＣＬの直径を偏心レンズ利用時の必要最小レンズ径として求める。円ｒ1、ｒ2、ｒ3、ｒ4を二つづつ組合わせて、それに外接する外接円でレンズ枠形状データの食出しが無いものがあった場合は、その外接円の内最小の半径を有する外接円を偏心レンズ利用時の必要最小レンズ径として求める（図１３参照）。
【００７０】
必要最小偏心レンズＣＬ´の光学中心Ｏ´は基準中心線Ｏと一致するように作られるから、偏心レンズＣＬ´の幾何学中心ＯＧＬ´と基準中心線Ｏとズレ量（ｄｘ´，ｄｙ´）を求め、このズレ量を偏心量とする。
ステップ１１５
（必要最小レンズの画像表示）；
演算・制御回路３０は、図１３および図１４に例示するように、前ステップ１１４で求めた必要最小レンズ半径Ｄ´の二倍値を第１表示器３と第２表示器７のレンズ径表示部２１５ａ，２１５ｂに数値表示させると共に、偏心量（ｄｘ´，ｄｙ´）を第１表示器３と第２表示器７の偏心量表示部２１７ａ，２１７ｂに数値表示させる。偏心量表示部２１７ａ，２１７ｂの『ＵＰ』は上寄せ量を『ＩＮ』は内寄せ量をそれぞれ示している。
【００７１】
また、必要最小レンズ径Ｄ´を有する偏心レンズ画像２０２´ａと偏心レンズの幾何学中心Ｏ´位置を示す破線十字線２１６ａ（図１３ではその水平線はレンズ枠の幾何学中心Ｏを示す十字線２０３ａの水平線と重なっている。）とを第１表示器３に画像表示させる。
【００７２】
なお、印点合致指標２１１ａ，２１１ｂはその中央指標２１２ａ，２１２ｂが偏心レンズ画像２０２´ａの光学中心Ｏ´と一致するように表示される。
ステップ１１６（加工干渉チェック）；
玉摺機でレンズを研削加工するとき、レンズ枠の形状あるいはレンズの光学中心とレンズ枠の幾何学中心のズレ量が大きい場合には、玉摺機のレンズ回転シャフトが研削砥石とに当たるいわゆる加工干渉を起こすことがある。これを事前にチェックしたいときは、操作者は入力／制御キーボード５の加工干渉キー５６を操作する。
【００７３】
演算・制御回路３０は、加工干渉キー５６からの指令を受けて、図８および図１３に例示するように、第１表示器３に、予め記憶されている玉摺機のレンズ回転シャフトのレンズチャッキング部の断面形状データに基いて、加工干渉チェック指標２２０ａをその中心が基準中心線Ｏと一致するように画像表示する。
【００７４】
操作者は加工干渉チェック指標２２０ａがレンズ枠画像２０２ａと重なるか否かをチェックし重ならない場合は加工干渉は発生しないと判定できる。
【００７５】
操作者に表示画像から目視で判定させる代わりに、演算・制御回路３０で判定させるようにしても良い。すなわち、演算・制御回路３０に、レンズチャッキング部の断面形状データとステップ１１０で移動させた後のレンズ枠画像データを自動的に比較させ、両方のデータ内に一致するものが存在するときは加工干渉が発生すると判定させて、自動的に警告するように構成してもよい。
【００７６】
あるいは、図１７に模式的に図示するように加工干渉チェック指標２２０ａがレンズ枠画像２０２ａと重なる場合、操作者が入力／制御キーボード５の矢印キー６０を操作して、レンズ枠画像２０２ａとステップ１１２あるいは１１５で表示されたレンズ画像２０２ａ，２０２´ａおよび印点合致指標２１１ａとをこれらの相互の位置関係は変化させることなく三者一体として画像移動させる。このとき加工干渉チェック指標２２０ａは不動である。それゆえ操作者は図１７に二点鎖線で示すようにレンズ枠画像２０２ａが加工干渉チェック指標２２０ａと重ならないようになるまで矢印キー６０を操作する。
【００７７】
基準中心線Ｏと画像移動後の画像移動量（Δｘ，Δｙ）を求め、これを表示器に表示するように構成してもよい。
ステップ１１７（照明ＯＮ）；
操作者は入力／制御キーボード５の照明キー５５を操作する。演算・制御回路３０は、照明キー５５からの指令を受けアクチュエータ３５を作動させて、照明ランプ１３，ＬＰを点灯する。これにより第２表示器７が照明が照明ランプＬＰで照明され、その表示像は観察窓４に向けてハーフミラー６で反射される。レンズ載置台８が照明ランプ１３により照明される。
ステップ１１８（レンズ位置出し）；
従って、載置ピン１０，１１，１２上にレンズＬを載置することにより、レンズＬの形状及びレンズＬに印点された印点マークＭ1，Ｍ2，Ｍ3を観察窓４を介して観察することができる。尚、印点マークＭ1，Ｍ2，Ｍ3は図示しないレンズメータで印点したものである。
【００７８】
ここで、間隔Ｘａは、枠入れされた眼鏡レンズを再加工するために吸着盤を取り付ける場合、又はカニ目レンズに吸着盤を取り付ける場合に、或いは小径のレンズに吸着盤を取り付ける場合、これらの眼鏡レンズを載置ピン１０，１１，１２で支持可能な間隔に設定されている。また、間隔Ｙａは、枠入れされた眼鏡レンズやカニ目レンズよりも大きい通常の未加工眼鏡レンズを載置ピン１０，１１，１２で支持可能な間隔に設定されている。
【００７９】
この結果、レンズＬが、カニ目レンズや枠入れされた眼鏡レンズ（図１８では画像２０２ｂの形状の眼鏡レンズ）であっても、載置ピン１０，１１，１２で画像２０２ｂの形状の眼鏡レンズを支持することができる。また、画像２０２ｂの形状より大きいレンズＬ（未加工眼鏡レンズ）も載置ピン１０，１１，１２で良好に支持できる。
【００８０】
この様な状態において、操作者は観察窓４を通して第２表示器７に表示された例えば図９の表示画像を観察しながら図１８に図示するように印点合致指標２１１ｂにレンズＬに印点された印点マークＭ1，Ｍ2，Ｍ3が各々合致するように載置ピン１０，１１，１２でレンズＬを保持し移動させる。
【００８１】
印点合致指標２１１ｂと印点マークＭ1，Ｍ2，Ｍ3を合致させることによりレンズＬの光学中心ＯLが基準中心線Ｏと合致し、レンズＬが乱視レンズの場合はその円柱軸が印点合致指標２１１ｂの配列方向と一致する。
【００８２】
この様に円柱軸を印点合致指標２１１ｂ及び印点マークＭ1，Ｍ2，Ｍ3を合致させて、このレンズパワーによる影響の生じない部分を透過する光束を用いることにより、印点マークＭ1，Ｍ2，Ｍ3を観察窓４から視認する様にしているので、レンズパワーの影響を受けることなく印点マークＭ1，Ｍ2，Ｍ3を正確に確認することができる。しかも、この印点マークＭ1，Ｍ2，Ｍ3を視認しながら、第２表示器７に表示されるレンズ枠等の画像をハーフミラー６を介して表示窓４から視認することにより、この印点マークＭ1，Ｍ2，Ｍ3と第２表示器７のレンズ枠等の画像を光学的に合成するようにしたので、この合成画像によるレンズ素地切れ等の確認を、レンズパワーの影響を受けることなく正確に行うことができる。
ステップ１１９（吸着）；
操作者はレンズ吸着装置１４の保持部材１４ｅに吸着カップ１５を取付け、シャフト１４ｂの切欠面１４ｇが規制ピン１４ｆに当接するまで支持アーム１４ｃを回転させ、吸着カップ１５の中心を基準中心線Ｏと一致させる。
【００８３】
次に、操作アーム１４ｄを押下げることにより、これと一体の支持アーム１４ｃを押下げ吸着カップ１５をレンズＬの前面に吸着する。
ステップ１２０（レンズデータ呼出）；
被軸出しレンズＬが二重焦点レンズである場合、図１９及び図２０に例示するように、前記ステップ１０７のレンズ設定操作で『バイフォーカル』がレンズ表示部２０８ａ，２０８ｂに表示されるようにする。
【００８４】
つぎに、ディスプレイキー５３を操作することにより、ｄｉｓｐｌａｙ表示部２１０ａ，２１０ｂに被軸出しレンズＬに対応させて予めレンズデータメモリ３３に記憶させておいたレンズの型式番号または商品名あるいは略称を呼出し表示させる。
【００８５】
レンズデータメモリ３３には、「二重焦点レンズのデータとして、図２１に模式的に示すように二重焦点レンズの小玉Ｓの水平幅Ｈ、垂直幅Ｖ、小玉Ｓの上端と遠用光学中心ＯＬとの垂直方向間隔Ｅ、および小玉Ｓの水平幅の中心ＣＳと遠用光学中心ＯＬとの水平方向間隔Ｆ」が各々アルファ・ニューメリカルキーボード６１を利用し予めレンズデータメモリ３３に記憶される。
【００８６】
図１９及び図２０の例ではレンズＬの小玉の水平幅Ｈ−垂直幅Ｖの数値を利用して型式番号としている。
ステップ１２１（データ画像表示）；
ｄｉｓｐｌａｙ表示部２１０ａ，２１０ｂに所望の型式番号を呼出すと演算・制御回路３０は、その型式番号に対応したレンズデータをレンズデータメモリ３３から読み出して、図１９に示すように模式的な小玉画像２３０ａを基準中心線Ｏからその垂直方向間隔Ｅ及び水平方向間隔Ｆずらし、第１表示器３に画像表示させる。
【００８７】
第２表示器７には図２０に示すように、小玉位置合せ指標２３１ｂが画像表示される。小玉位置合せ指標２３１ｂは、小玉上端位置を示す上端指標２３２ｂと、小玉の水平幅を示す水平幅指標２３３ｂ，２３３ｂと、小玉の水平幅中心位置を示す水平幅中心指標２３４ｂと、小玉の肩Ｊ，Ｋの位置合せや小玉の倒れチェックのための二本または三本の短線から成る肩位置合せ指標２３５ｂ，２３５ｂとから構成されている。
【００８８】
上端指標２３２ｂは基準中心線Ｏから垂直方向間隔Ｅずらして表示され、水平幅中心指標２３４ｂは水平方向間隔Ｆずらして表示され、水平幅指標２３２ｂは水平幅Ｈの間隔で表示される。
【００８９】
後続ステップ１１８のレンズ位置出し作業では図２０に二点鎖線で図示したように二重焦点レンズＬの小玉Ｓが第２表示器７の小玉位置合せ指標画像２３１ｂに整合するように位置出しされる。
【００９０】
なお、図１９及び図２０とも、処方データ表示部２０９ａ，２０９ｂ、模式的レンズ枠画像２０４ａ，２０４ｂ、レンズ枠長表示部２０５ａ，２０５ｂ等の表示は図示を省略した。
【００９１】
また次ステップ１０８の処方データ入力では被軸出しレンズＬが乱視レンズであってもその円柱軸角度は入力しない。それゆえステップ１０９の印点合致指標２１１ａ，２１１ｂの画像表示もされない。
ステップ１２２（レンズデータ呼出）；
被軸出しレンズＬが累進多焦点レンズである場合、図２２及び図２３に例示するように、前記ステップ１０７のレンズ設定操作で『ルイシン』がレンズ表示部２０８ａ，２０８ｂに表示されるようにする。
【００９２】
つぎに、ディスプレイキー５３を操作することにより、ｄｉｓｐｌａｙ表示部２１０ａ，２１０ｂに被軸出しレンズＬに対応させて予めレンズデータメモリ３３に記憶させておいたレンズの型式番号または商品名あるいは略称を呼出し表示させる。
【００９３】
レンズデータメモリ３３には、累進多焦点レンズのデータとして、図２４に模式的に示すように累進多焦点レンズの幾何学中心ＯEと近用部マークＮの中心との垂直方向間隔Ａ、幾何学中心ＯEと近用部Ｎの中心との水平方向間隔Ｂおよび幾何学中心ＯEと遠用装用中心ＯLとの垂直方向間隔Ｃとが各々アルファ・ニューメリカルキーボード６１を利用し予めレンズデータメモリ３３に記憶される。
【００９４】
図２２及び図２３の例では商品名ｘｘｘｘがｄｉｓｐｌａｙ表示部２１０ａ，２１０ｂに表示される。
ステップ１２３（データ画像表示）；
ｄｉｓｐｌａｙ表示部２１０ａ，２１０ｂに所望の商品名を呼出すと演算・制御回路３０は、その商品名に対応したレンズデータをレンズデータメモリ３３から読み出し、図２２に示すように近用部の位置を示す近用部指標２４１ａを基準中心線Ｏからその垂直方向間隔Ａ及び水平方向間隔Ｂずらして、第１表示器３に画像表示させる。第１表示器３には、さらにレンズの遠用装用中心位置を示す中心位置指標２４０ａが表示される。
【００９５】
第２表示器７には幾何学中心位置指標２４０ｂおよび近用部指標２４１ｂと、さらに図２４に示すような累進多焦点レンズの水平方向線ｈ，ｈの位置を示す水平線指標２４２ｂ，２４２ｂが画像表示される。
【００９６】
後続ステップ１１８のレンズ位置出し作業では図２３に二点鎖線で図示したように累進多焦点レンズＬの幾何学中心マークＣＭが第２表示器７の中心位置指標画像２４０ｂに、レンズＬの水平方向線ｈ，ｈが水平線指標画像２４２ｂ，２４２ｂに、レンズＬの近用部マークＮが近用部指標２４１ｂにそれぞれ整合するように位置出しされる。
【００９７】
なお、図２２及び図２３とも、処方データ表示部２０９ａ，２０９ｂ、模式的レンズ枠画像２０４ａ，２０４ｂ、レンズ枠長表示部２０５ａ，２０５ｂ等の表示は図示を省略した。
【００９８】
また次ステップ１０８の処方データ入力では被軸出しレンズＬが乱視レンズであってもその円柱軸角度は入力しない。それゆえステップ１０９の印点合致指標２１１ａ，２１１ｂの画像表示もされない。
ステップ１２４および１２５（右眼レンズ設定）；
操作者は右眼レンズについて既に軸出し作業を完了しているか否かを確認し、完了してい場合はＲ／Ｌキー５４を操作して、図１３と図１４に例示するように左右眼表示部２０７ａ，２０７ｂに『ＲＩＧＨＴ』と表示させる。
【００９９】
演算・制御回路３０は、Ｒ／Ｌキー５４からの指令を受けてフレームデータメモリ３２から左眼レンズ枠形状データＬＦi（ｘi，ｙi）を読み出し、その画像２０２ａ，２０２ｂを第１表示器３および第２表示器７に各々等倍で画像表示する。また第１表示器３はレンズ枠の幾何学中心を示す十字線２０３ａを画像表示する。
ステップ１２６
以下右眼レンズについて上述のステップ１０６ないし１２３を実行する。
２）『パターン』モード：
ステップ１０２（モード設定）；
操作者はレンズＬの軸出し作業に実際の型板を利用する場合はモードキー５１を操作して、図２５ないし図２９に示すように、第１および第２表示器３，７のｍｏｄｅ表示部２０１ａ，２０１ｂに『パターン』と表示させパターンモードを設定する。
ステップａ−１（左眼レンズ設定）；
操作者はＲ／Ｌキー５４を操作して、図２５に示すように、第１および第２表示器３，７の左右眼表示部２０７ａ，２０７ｂに『ＬＥＦＴ』と表示させる。
ステップａ−２（レンズ設定）；
操作者はレンズキー５２を操作してレンズ設定を行う。すなわち、この操作において、軸出しされるレンズＬが単焦点レンズの場合は図２５に示すように第１および第２表示器３，７のレンズ表示部２０８ａ，２０８ｂに『シングル  ビジョン』と表示させる。また、レンズＬが二重単焦点レンズの場合は図２６および図２７に示すようにレンズ表示部２０８ａ，２０８ｂに『バイフォーカル』と表示させる。さらに、レンズＬが累進多焦点レンズの場合は図２８および図２９に示すようにレンズ表示部２０８ａ，２０８ｂに『ルイシン』と表示させる。
【０１００】
以下、レンズＬが単焦点レンズの場合を例に以後のステップの動作説明をし、その後レンズＬが二重単焦点レンズの場合と、累進多焦点レンズの場合の単焦点レンズの動作ステップと異なる動作ステップについてのみ説明する。
【０１０１】
なおレンズＬが単焦点レンズの場合は第１と第２表示器３，７の表示は同一となる。
ステップａ−３（処方データ入力）；
操作者は矢印キー６０の下キー６０ｂとアルファ・ニューメリカルキーボード６１を操作して処方データを入力する。
【０１０２】
最初、第１と第２表示器３，７の処方データ表示部２０９ａ，２０９ｂの『Ｒ』項の『ＩＮ』表示は白抜き文字（図では斜線を重ねて表示）で表示されており、キーボード６１で右眼レンズの内寄せ量を入力する。次に、下キー６０ｂを押し『Ｒ』項の『ＵＰ』表示を白抜き文字に変え、キーボード６１で右眼レンズの上寄せ量を入力する。右眼レンズが乱視レンズの場合は、下キー６０ｂをさらに押し『Ｒ』項の『ＡＸ』表示を白抜き文字に変え、キーボード６１でそのレンズの円柱軸角度を入力する。
【０１０３】
以下同様に、左眼レンズの内寄せ量、上寄せ量、円柱軸角度についても『Ｌ』項の『ＩＮ』、『ＵＰ』、『ＡＸ』表示部に各々入力する。
ステップａ−４
（印点合致指標及び／又は位置合せ指標の画像表示）；
前ステップａ−３で入力された処方データに基づいて演算・制御回路３０は、図２５に図示するように、三つの矩形状指標を直線上に配列した印点合致指標２１１ａ，２１１ｂのうちの中央の指標２１２ａ，２１２ｂを左眼レンズの内寄せ量ＩＮ、上寄せ量ＵＰ分だけ移動させて、三つの指標２１１ａ及び三つの指標２１１ｂの配列方向が左眼レンズの円柱軸角度と一致するように第１と第２表示器３，７に画像表示する。
【０１０４】
演算・制御回路３０は、さらに基準中心線Ｏと合致する位置合せ指標３０１ａ，３０１ｂを第１と第２表示器３，７に画像表示する。位置合せ指標３０１ａ，３０１ｂは垂直方向線３０２ａ，３０２ｂと、水平方向線３０３ａ，３０３ｂと、水平方向線３０３ａ，３０３ｂ上に所定間隔へだてて配置された二本の短い垂直線から成る穴位置指標３０４ａ，３０４ａ、３０４ｂ，３０４ｂとから構成されている。尚、位置合せ指標３０１ａ，３０１ｂの交点Ｏは基準中心線Ｏの位置に表示される。
【０１０５】
演算・制御回路３０は、また印点合致指標２１１ａ，２１１ｂの中央指標２１２ａ，２１２ｂに中心をもつ各々所定直径を有する三つの同心円Ｃｒ1，Ｃｒ2，Ｃｒ3を第１と第２表示器３，７に画像表示する。同心円Ｃｒ1，Ｃｒ2，Ｃｒ3の直径はそれぞれ、例えば、６０ｍｍ，７０ｍｍ，８０ｍｍである。
ステップａ−５（型板載置）；
操作者は、図２５に二点鎖線で図示するように、型板Ｔに形成された小円Ｔ1，Ｔ2の中心が位置合せ指標３０１ａの穴位置指標３０４ａ，３０４ａの水平方向線３０３ａの交点と合致させ、型板Ｔに形成された小円Ｔ３の中心が垂直方向線３０２ａ上に合致するように、型板Ｔを第１表示器３の表示画面上に載置し位置合せする。
【０１０６】
操作者は、第１表示器３に表示された同心円画像Ｃｒ1，Ｃｒ2，Ｃｒ3と載置された型板Ｔの外形線の全てを含み得る最小の同心円を求め、その半径値から必要なレンズＬの直径を知ることができる。
ステップａ−６（カーソル設定）；
操作者は、もし上記処方データで型板Ｔの形状を取り得る最小のレンズ径を知りたければ、カーソルキー５８を押し第１と第２表示器３，７に十字型のカーソル画像３０１ａ，３０１ｂを画像表示させ、矢印キー６０を操作してこのカーソル画像３０１ａ，３０１ｂを第１表示器３上に載置された型板Ｔの最大半径Ｒｍａｘをもつ外形点ｔへ移動設定させる。
ステップａ−７（必要最小レンズ径決定）；
演算・制御回路３０は、前ステップａ−６で設定されたカーソル画像３０１ａ，３０１ｂの座標ｔ（ｘ，ｙ）を求め、必要最小レンズ半径Ｄを求め、その二倍値を必要最小レンズ径表示部２１５ａ，２１５ｂに表示する。この半径Ｄの円を画像表示してもよい。
ステップａ−８；
フレームモードのステップ１１６ないし１１９と同様の動作を実行する。
ステップａ−９（レンズデータ呼出）；
被軸出しレンズＬが二重焦点レンズである場合、図２６及び図２７に例示するように、前記ステップａ−２のレンズ設定操作で『バイフォーカル』がレンズ表示部２０８ａ，２０８ｂに表示されるようにする。
【０１０７】
つぎに、ディスプレイキー５３を操作することにより、ｄｉｓｐｌａｙ表示部２１０ａ，２１０ｂに被軸出しレンズＬに対応させて予めレンズデータメモリ３３に記憶させておいたレンズの型式番号または商品名あるいは略称を呼出し表示させる。
ステップａ−１０（データ画像表示）；
ｄｉｓｐｌａｙ表示部２１０ａ，２１０ｂに所望の型式番号を呼出すと演算・制御回路３０は、その型式番号に対応したレンズデータをレンズデータメモリ３３から読み出し、図２６に示すように模式的な小玉画像２３０ａを基準中心線Ｏからその垂直方向間隔Ｅ及び水平方向間隔Ｆずらして第１表示器３に画像表示させる。また、第１表示器３には、二重焦点レンズＬの遠用光学中心Ｏの位置を示す遠用光学中心指標３２０ａも画像表示される。
【０１０８】
なお、本ステップａ−１０から次ステップａ−３に移行した場合に、次ステップａ−３の処方データの入力では、図２６に図示するように小玉Ｓの水平幅中心Ｃのレンズ枠幾何学中心を基準とした内寄せ量ＩＮと上寄せ量ＵＰと（レンズデータとしての垂直方向間隔Ｅ及び水平方向間隔Ｆに純粋な内寄せ量、上寄せ量を加えた量）が入力される。そして、次ステップａ−４の模式的小玉画像２３０ａの移動では、この入力処方データ分画像が移動される（図２６はこの移動後の画像表示例である）。
【０１０９】
第２表示器７には図２７に示すように、遠用光学中心指標３２０ｂと小玉位置合せ指標２３１ｂが画像表示される。小玉位置合せ指標２３１ｂの構成と表示位置は前述のステップ１２１を参照されたい。
【０１１０】
後続ステップａ−８で引用するステップ１１８のレンズ位置出し作業では第２７図に二点鎖線で図示したように二重焦点レンズＬの小玉Ｓが第２表示器７の小玉位置合せ指標画像２３１ｂに整合するように位置出しされる。
【０１１１】
また、本ステップａ−１０から次ステップａ−３に移行した場合に、次ステップａ−３の処方データ入力では、被軸出しレンズＬが乱視レンズであっても、その円柱軸角度は入力しない。それゆえステップａ−４の印点合致指標２１１ａ，２１１ｂの画像表示もされない。
ステップａ−１１（レンズデータ呼出）；
被軸出しレンズＬが累進多焦点レンズである場合、図２８及び図２９に例示するように、前記ステップａ−２のレンズ設定操作で『ルイシン』がレンズ表示部２０８ａ，２０８ｂに表示されるようにする。
【０１１２】
つぎに、ディスプレイキー５３を操作することにより、ｄｉｓｐｌａｙ表示部２１０ａ，２１０ｂに被軸出しレンズＬに対応させて予めレンズデータメモリ３３に記憶させておいたレンズの例えば商品名を呼出し表示させる。
ステップａ−１２（データ画像表示）；
ｄｉｓｐｌａｙ表示部２１０ａ，２１０ｂに所望の商品名を呼出すと演算・制御回路３０は、その商品名に対応したレンズデータをレンズデータメモリ３３から読み出し、図２８に示すように近用部の位置を示す近用部指標２４１ａを基準中心線Ｏからその垂直方向間隔Ａ及び水平方向間隔Ｂずらして、第１表示器３に画像表示させる。第１表示器３には、さらにレンズの遠用装用中心位置を示す中心位置指標２４０ａが表示される。
【０１１３】
第２表示器７には、図２３に示した様に幾何学中心位置を示す中心位置指標２４０ｂおよび近用部指標２４１ｂと、の累進多焦点レンズの水平方向線ｈ，ｈの位置を示す水平線指標２４２ｂ，２４２ｂが画像表示される（図２４参照）。
【０１１４】
なお、本ステップａ−１０から次ステップａ−３に移行した場合に、次ステップａ−３の処方データの入力では、図２８に図示するように近用部Ｎのレンズ枠幾何学中心を基準とした内寄せ量ＩＮと上寄せ量ＵＰと（レンズデータとしての垂直方向間隔Ａ及び水平方向間隔Ｂに純粋な内寄せ量、上寄せ量を加えた量）が入力される。そして、次ステップａ−４の近用部指標２４１ａの移動はこの入力処方データ分画像が移動される（図２８および図２９はこの移動後の画像表示例である）。
【０１１５】
また、後続ステップａ−８のレンズ位置出し作業では図２９に二点鎖線で図示したように累進多焦点レンズＬの幾何学中心マークＣＭが第２表示器７の中心位置指標画像２４０ｂに、レンズＬの水平方向線ｈ，ｈが水平線指標画像２４２ｂ，２４２ｂに、レンズＬの近用部マークＮが近用部指標２４１ｂにそれぞれ整合するように位置出しされる。
【０１１６】
また、本ステップａ−１１から次ステップａ−３に移行した場合に、次ステップ１０８の処方データ入力では、被軸出しレンズＬが乱視レンズであっても、その円柱軸角度は入力しない。それゆえステップ１０９の印点合致指標２１１ａ，２１１ｂの画像表示もされない。
ステップａ−１３およびａ−１４（右眼レンズ設定）；
操作者は右眼レンズについて既に軸出し作業を完了しているか否かを確認し、完了してい場合はＲ／Ｌキー５４を操作して、第１および第２表示器３，７の左右眼表示部２０７ａ，２０７ｂに『ＲＩＧＨＴ』と表示させる。
ステップａ−１５；
以下右眼レンズについて上述のステップａ−１ないしａ−１２を実行する。
３）データ転送
ステップ１２５；
以上のべた軸出作業を完了したのち、必要に応じて、操作者は転送キー５９を操作してレンズＬの研削加工に必要なデータ、例えば内寄せ量、外寄せ量、円柱軸角度やフレームデータ等を玉摺機５０にデータ転送することができる。
【０１１７】
なお、特願昭６０−１１５０７９号に開示の玉摺機のように、それ自身に内寄せ量、外寄せ量を演算する演算手段を有しているものにおいては、フレームデータ，フレームＰＤ，装用者眼ＰＤ，円柱軸角度など演算・制御回路３０で演算処理される前の言わゆる『生データ』のみを転送するように構成してもよい。
（変形例）
以上説明した実施例では、３つの保持部材である載置ピン１０，１１，１２を設けた例を示したが、必ずしもこれに限定されるものではない。
【０１１８】
例えば、図３０，図３１に示したように、保持部材である４つの載置ピン１０，１１，１２，１２′を設けた構成としても良い。この実施例では、４つの載置ピン１０，１１，１２，１２′が前記第１，第２仮想線Ｌｘ１，Ｌｘ２と第３，第４仮想線Ｌｙ１，Ｌｙ２との交点ＩＳ１〜ＩＳ４上にそれぞれ配置されている。
【０１１９】
しかも、具体的には、例えば間隔Ｘａを２０ｍｍとし、間隔Ｙａを３０ｍｍとしている。しかも、載置ピン１０，１１，１２，１２′の高さは１１ｍｍとしている。この場合、間隔Ｘａが間隔Ｙａより小さく設定され、実質的には間隔Ｙａが間隔Ｘａの１．５倍に設定されることになる。尚、間隔Ｘａ及び間隔Ｙａの値及び載置ピン１０，１１，１２，１２′の高さは上述した数値に限定されるものではない。
【０１２０】
以上説明したように、この発明の実施の形態の軸出器は、眼鏡レンズ（レンズＬ）を３つ以上の保持部材（載置ピン１０，１１，１２）上に載置して、吸着部材（吸着カップ１５）を前記眼鏡レンズ（レンズＬ））に装着するようになっている。しかも、上記３つ以上の保持部材（載置ピン１０，１１，１２）を少なくとも２方向（Ｘ方向、Ｙ方向）で異なる間隔に配置している。
【０１２１】
この構成によれば、載置される眼鏡レンズの大きさが異なる場合でもレンズを載せるための載置台を交換せずに、未加工レンズから種々なサイズの眼鏡レンズまで載置して吸着部材を取り付けることができる。即ち、レンズＬが、カニ目レンズ用の未加工眼鏡レンズや枠入れされた眼鏡レンズ（図１８では画像２０２ｂの形状の眼鏡レンズ）或いは小径のレンズであっても、載置ピン１０，１１，１２で画像２０２ｂの形状の眼鏡レンズを支持することができる。また、画像２０２ｂの形状より大きいレンズＬ（未加工眼鏡レンズ）も載置ピン１０，１１，１２で良好に支持できる。
【０１２２】
また、この発明の実施の形態の軸出器は、眼鏡レンズ（レンズＬ）を複数の保持部材（載置ピン１０，１１，１２，１２′）に載置して、吸着部材（吸着カップ１５）を眼鏡レンズ（レンズＬ）に装着するようになっている。ここで、平行な第１，第２仮想線Ｌ１，Ｌｘ２及び前記第１，第２仮想線Ｌ１，Ｌｘ２に対して交差し且つ間隔が第１，第２仮想線Ｌ１，Ｌｘ２の間隔と異なる平行な第３，第４仮想線Ｌｙ１，Ｌｙ２を想定する。このとき、前記複数の保持部材（載置ピン１０，１１，１２，１２′）は前記第１，第２仮想線Ｌｘ１，Ｌｘ２と第３，第４仮想線Ｌｙ１，Ｌｙ２との交点ＩＳ１〜ＩＳ４上にそれぞれ配置されている。
【０１２３】
この構成によれば、載置される眼鏡レンズの大きさが異なる場合でもレンズを載せるための載置台を交換せずに、未加工レンズから種々のサイズの眼鏡レンズまで載置して吸着部材を取り付けることができる。即ち、レンズＬが、カニ目レンズ用の未加工眼鏡レンズや枠入れされた眼鏡レンズ（図１８では画像２０２ｂの形状の眼鏡レンズ）或いは小径のレンズであっても、載置ピン１０，１１，１２で画像２０２ｂの形状の眼鏡レンズを支持することができる。また、画像２０２ｂの形状より大きいレンズＬ（未加工眼鏡レンズ）も載置ピン１０，１１，１２で良好に支持できる。
【０１２４】
この発明の実施の形態の軸出器は、眼鏡レンズを３つの保持部材（載置ピン１０，１１，１２）に載置して、吸着部材を眼鏡レンズに装着するようになっている。ここで、平行な第１，第２仮想線Ｌｘ１，Ｌｘ２及び前記第１，第２仮想線Ｌｘ１，Ｌｘ２に対して交差し且つ間隔が第１，第２仮想線Ｌｘ１，Ｌｘ２の間隔と異なる平行な第３，第４仮想線Ｌｙ１，Ｌｙ２を想定する。このとき、前記３つの保持部材（載置ピン１０，１１，１２）のうちの２つ（１０，１１）は前記第１仮想線Ｌｘ１と第３，第４仮想線Ｌｙ１，Ｌｙ２との交点ＩＳ１，ＩＳ２上にそれぞれ配置され、前記３つの保持部材（載置ピン１０，１１，１２）のうち残りの１つ（１２）は前記第２仮想線Ｌｘ２と第３，第４仮想線Ｌｙ１，Ｌｙ２との交点ＩＳ３，ＩＳ４の中央に配置している。
【０１２５】
この構成によれば、載置される眼鏡レンズの大きさが異なる場合でもレンズを載せるための載置台を交換せずに、未加工レンズから種々のサイズの眼鏡レンズまで載置して吸着部材を取り付けることができる。即ち、レンズＬが、カニ目レンズ用の未加工眼鏡レンズや枠入れされた眼鏡レンズ（図１８では画像２０２ｂの形状の眼鏡レンズ）或いは小径のレンズであっても、載置ピン１０，１１，１２で画像２０２ｂの形状の眼鏡レンズを支持することができる。また、画像２０２ｂの形状より大きいレンズＬ（未加工眼鏡レンズ）も載置ピン１０，１１，１２で良好に支持できる。
【０１２６】
また、この発明の実施の形態の軸出器は、上記交点の中央に上記保持部材（載置ピン１２）を配置した場合、該保持部材（載置ピン１２）の高さを他の２本（載置ピン１０，１１）とは異なる高さにしている。
【０１２７】
この構成によれば、レンズ（眼鏡レンズ）Ｌは、サイズの大小にかかわらず複数の保持部材（３本の載置ピン１０、１１、１２）上で三点支持される。しかも、レンズＬが後面乱視レンズであっても載置ピンで確実に支持することができ、かつレンズを傷付けることもない。
【０１２８】
更に、この発明の実施の形態の軸出器は、上記２方向（Ｘ方向，Ｙ方向）を直交方向としている。
【０１２９】
また、この発明の実施の形態の軸出器は、上記異なる間隔の比率を縦方向（Ｙ方向）２、横方向（Ｘ方向）３の割合にしている。
【０１３０】
また、この発明の実施の形態の軸出器は、上記異なる間隔の比率を斜め方向５、横方向６の割合にしている。
【図面の簡単な説明】
【０１３１】
【図１】本発明に係る軸出器の光学−機械構成を示す斜視図である。
【図２】図１のレンズ載置台の構成を示す平面図である。
【図３】図２のＩＩＩ−ＩＩＩ´視断面図である。
【図４】本発明に係る軸出器の電気回路を示すブロック図である。
【図５】入力／制御用キーボードのキー構成を示す平面図である。
【図６−Ａ】本発明に係る軸出器の動作フローチャートである。
【図６−Ｂ】本発明に係る軸出器の動作フローチャートである。
【図７】本発明に係る軸出器の動作フローチャートである。
【図８】第１表示器の画像表示例を示す説明図である。
【図９】第２表示器の画像表示例を示す説明図である。
【図１０】レンズ枠データを模式的に示す模式図である。
【図１１】レンズ枠の最長径を求める方法を説明するための模式図である。
【図１２】左右のレンズ枠画像の合成画像を例示する模式図である。
【図１３】第１表示器の画像表示例を示す説明図である。
【図１４】第２表示器の画像表示例を示す説明図である。
【図１５】（ａ）ないし（ｄ）は印点合致マークのパターン構成例を示す模式図である。
【図１６】偏心レンズの必要最小レンズ径を求める方法を説明するための模式図である。
【図１７】加工干渉を回避するためのずらし量の求め方を説明するための模式図である。
【図１８】レンズの位置出し方法を説明するための平面図である。
【図１９】第１表示器の画像表示例を示す説明図である。
【図２０】第２表示器の画像表示例を示す説明図である。
【図２１】二重焦点レンズのデータについて説明するための模式図である。
【図２２】第１表示器の画像表示例を示す説明図である。
【図２３】第２表示器の画像表示例を示す説明図である。
【図２４】累進多焦点レンズのデータについて説明するための模式図である。
【図２５】型板を利用して単焦点レンズの軸出しをする場合の第１および第２表示器の画像表示例を示す図である。
【図２６】第１表示器の画像表示例を示す説明図である。
【図２７】第２表示器の画像表示例を示す説明図である。
【図２８】第１表示器の画像表示例を示す説明図である。
【図２９】第２表示器の画像表示例を示す説明図である。
【図３０】本発明に係る軸出器の光学−機械構成の他の例を示す斜視図である。
【図３１】図３０のレンズ載置台の構成を示す平面図である。
【符号の説明】
【０１３２】
１０，１１，１２，１２´    載置ピン（保持部材）
１５      吸着カップ（吸着部材）
Ｌｘ１    第１仮想線
Ｌｘ２    第２仮想線
Ｌｙ１    第３仮想線
Ｌｙ２    第４仮想線
ＩＳ１〜ＩＳ４    交点
Ｌ        レンズ（眼鏡レンズ）
【図１】
2005066735.tif 000006
【図２】
2005066735.tif 000007
【図３】
2005066735.tif 000008
【図４】
2005066735.tif 000009
【図５】
2005066735.tif 000010
【図６−Ａ】
2005066735.tif 000011
【図６−Ｂ】
2005066735.tif 000012
【図７】
2005066735.tif 000013
【図８】
2005066735.tif 000014
【図９】
2005066735.tif 000015
【図１０】
2005066735.tif 000016
【図１１】
2005066735.tif 000017
【図１２】
2005066735.tif 000018
【図１３】
2005066735.tif 000019
【図１４】
2005066735.tif 000020
【図１５】
2005066735.tif 000021
【図１６】
2005066735.tif 000022
【図１７】
2005066735.tif 000023
【図１８】
2005066735.tif 000024
【図１９】
2005066735.tif 000025
【図２０】
2005066735.tif 000026
【図２１】
2005066735.tif 000027
【図２２】
2005066735.tif 000028
【図２３】
2005066735.tif 000029
【図２４】
2005066735.tif 000030
【図２５】
2005066735.tif 000031
【図２６】
2005066735.tif 000032
【図２７】
2005066735.tif 000033
【図２８】
2005066735.tif 000034
【図２９】
2005066735.tif 000035
【図３０】
2005066735.tif 000036
【図３１】
2005066735.tif 000037